(57)【特許請求の範囲】
【請求項１】
磁気トラック（３４，３５，３６；１００，１１０，１２０）の形態の磁化を有する強磁性部品（１，１９）上の外部磁場および製品関連磁場のうちの少なくとも一方を検出するための装置であって、
強磁性部品（１，１９）に作用する前記外部磁場（１１，２１）を検出することが可能な少なくとも２つの磁場センサ（１７，１８，４１，４６）を備え、
各磁場センサ（１７，１８，４１，４６）は２つのコイル（２７，２８，２７’，２８’）を含み、
各前記コイル（２７，２８，２７’，２８’）には少なくとも１つの前記磁気トラック（３４，３５，３６）が割り当てられ、
前記２つのコイル（２７，２８，２７’，２８’）は、互いに異なる感度を有するように構成され、
他方の前記コイル（２７，２８，２７’，２８’）に対してより高い感度を有する一方の前記コイル（２７，２８，２７’，２８’）が、より感度の低い前記コイル（２７，２８，２７’，２８’）よりも前記強磁性部品（１，１９）の少なくとも１つの端部に近接して配置され、
より高い感度を有する前記コイル（２７，２８，２７’，２８’）は、外部磁場の効果が増幅されることを確実にする、装置。
【請求項２】
前記磁場センサ（１７，１８；４１，４６）が、前記強磁性部品（１，１９）に対して互いに軸方向および半径方向のうちの少なくとも一方に離間していることを特徴とする請求項１に記載の装置。
【請求項３】
前記磁場センサ（１７，１８；４１，４６）および前記コイル（２７，２８，２７’，２８’）は、前記製品関連磁場を検出するとともに、外部磁場を検出するように構成されていることを特徴とする請求項１に記載の装置。
【請求項４】
前記２つのコイルには第１および第２の磁気トラック（３４，３５または３５，３６）がそれぞれ割り当てられ、前記第１および第２の磁気トラック（３４，３５または３５，３６）は互いに反対方向の磁化（３９，４０）を有することを特徴とする請求項１に記載の装置。
【請求項５】
前記磁気トラック（３４，３５，３６；１００，１１０，１２０）は、互いに鏡像関係にある２つのデュアルバンド磁気トラックの組み合わせを形成し、中央磁気トラック（３５，１００）は、前記磁場センサ（１７および１８または４１および４６）によって共に使用されることを特徴とする請求項１に記載の装置。
【請求項６】
両方の磁場センサ（１７，１８；４１，４６）によって共に使用される前記磁気トラック（３５，１１０）は、正の偏極または負の偏極を有することを特徴とする請求項５に記載の装置。
【請求項７】
前記強磁性部品（１，１９）が磁場アンテナ（１０）であることを特徴とする請求項１に記載の装置。
【請求項８】
前記少なくとも２つの磁場センサのうちの１つの前記２つのコイル（２７，２７’）間の間隔と、前記少なくとも２つの磁場センサのうちの別の１つの前記２つのコイル（２８，２８’）間の間隔とが互いに等しいことを特徴とする請求項１〜７のいずれか一項に記載の装置。
【請求項９】
前記磁場センサ（１７，１８；４１，４６）の前記コイル（２７，２８，２７’，２８’）によって放出された信号は、評価装置および表示装置のうちの少なくとも一方に伝達されることを特徴とする請求項１〜８のいずれか一項に記載の装置。
【請求項１０】
磁気トラック（３４，３５，３６；１００，１１０，１２０）の形態の磁化を有する強磁性部品（１，１９）上の外部磁場および製品関連磁場のうちの少なくとも一方を検出する方法であって、
２つの磁場センサ（１７および１８、または４１および４６）を配置すること、
前記磁場センサ（１７，１８，４１，４６）によって強磁性部品（１，１９）に作用する外部磁場（１１，２１）を検出すること、
ここで、各磁場センサ（１７，１８，４１，４６）は２つのコイル（２７，２８，２７’，２８’）を含み、
各前記コイル（２７，２８，２７’，２８’）に少なくとも１つの前記磁気トラック（３４，３５，３６；１００，１１０，１２０）を割り当ることを含み、
ここで、前記２つのコイル（２７および２７’，２８および２８’）は、互いに対して異なる感度を有するように構成され、
ここで、他の前記コイル（２７，２８，２７’，２８’）に対してより高い感度を有する前記コイル（２７’，２８’）が、より感度の低い前記コイル（２７，２８，２７’，２８’）よりも前記強磁性部品の少なくとも１つの端部の近くに配置され、
ここで、より高い感度を有する前記コイル（２７，２８，２７’，２８’）は、外部磁場の効果が増幅されるように構成される、方法。
【請求項１１】
磁気トラック（３４，３５，３６；１００，１１０，１２０）の形態の磁化を有する強磁性部品（１９）上の外部磁場および製品関連磁場のうちの少なくとも一方を検出するための装置の使用方法であって、
前記強磁性部品（１，１９）に作用する外部磁場（１１，２１）を検出することが可能な少なくとも２つの磁場センサ（１７，１８，４１，４６）を含み、
各前記磁場センサ（１７，１８，４１，４６）は２つのコイル（２７，２８，２７’，２８’）を含み、
各前記コイル（２７，２８，２７’，２８’）には、少なくとも１つの前記磁気トラック（３４，３５，３６；１００，１１０，１２０）に割り当てられ、
前記２つのコイル（２７，２７’，２８，２８’）は、互いに対して異なる感度を有するように構成され、
他方の前記コイル（２７，２８）に対してより高い感度を有する前記コイル（２７，２８，２７’，２８’）は、より感度の低い前記コイル（２７，２８）よりも強磁性部品（１，１９）の少なくとも１つの端部に近接して配置され、
より高い感度を有する前記コイル（２７’，２８’）は、外部磁場の効果が増幅されるように構成される、使用方法。
【発明の詳細な説明】
【技術分野】
【０００１】
本発明は、請求項１の特徴による外部磁気影響を判定する装置に関する。
【背景技術】
【０００２】
磁場センサは、磁場を測定するために使用される。これらは、磁束または磁場強度を電気量に変換するセンサである。磁場センサは、比較的安価に製造することができる非接触、信頼性の高い、無摩耗センサであるため、圧力、充填レベル、回転速度、電流、回転運動、トルク、方向性変化、その他の物理量の検出に頻繁に使用される。磁場センサには、とりわけ、ホールセンサおよび磁気抵抗センサが含まれる。飽和コアプローブまたはフェルスター（Ｆｏｅｒｓｔｅｒ）プローブとも呼ばれる、いわゆるフラックスゲートセンサは、高感度磁場センサである。磁気弾性技術は、材料の基本的な機械的特性および磁気的特性を使用して、様々なパラメータを測定する。この場合、機械的特性の変化、例えば磁性部品への外力の作用下でのせん断応力に伴う磁場の特性の変化が測定される。この技術は、例えばリングのような追加の要素を取り付ける代わりに機械的要素を直接磁化することによって適用される。磁化された素子の直近に位置する高感度の磁束センサは、加えられた力に比例する磁場の特性の変化を識別する。これらの変化は、材料の弾性限界内で線形かつ再現可能である。これらは通常の使用条件下では正確である。
【０００３】
この技術全体の例は、多数の特許明細書に見られる。それらは通常、それぞれの製品の磁場に作用するため、製品関連磁場として指定することができる。
力またはモーメントを測定するための装置は、独国特許出願公開第２７７５２１号明細書（Ａ１）（特許文献１）から既に推論されている。これによれば、磁気弾性効果に基づいて固定または回転変形体の力またはモーメントの非接触測定を達成する測定装置が記載されている。装置の変形本体は、変形本体自体、本体の表面に塗布された薄いアモルファス金属層の少なくとも２つのゾーン、およびこれらのゾーンに割り当てられたセンサコイルを含む。測定装置は、カンチレバー、力測定ボルト、トーションシャフトなどに対する力またはモーメントの影響の結果として表面応力を測定する。
【０００４】
この場合、変形体の各表面区域にセンサコイルが割り当てられ、このセンサコイルは、被覆された表面区域の領域において変形体を囲むか、または空気コイルの形態で、または表面区域から可能な限り最短の距離に配置される。
【０００５】
独国特許出願公開第１０２００５００２９６６号明細書（Ａ１）（特許文献２）には、シャフト部分に存在するトルクを測定するための付加的な冗長センサの使用を提供する操作手段の動力を決定するための装置がさらに記載されている。
【０００６】
欧州特許出願公開第２７９３００９号明細書（Ａ１）（特許文献３）には、半径方向に反対方向に磁化された磁気能動場を有する細長いシャフトがさらに記載されている。これらの磁化された磁場には磁気弾性センサが割り当てられる。その磁気弾性場を含むシャフトは、引っ張り荷重および／または圧縮荷重を受ける。
【０００７】
米国特許第８，５７８，７９４号明細書（Ａ１）（特許文献４）には、本体に直接的または間接的に接続されるか、または本体の一部を形成する細長い本体および磁気弾性作用場を含むトルクセンサが開示されている。本体に作用するトルクは、少なくとも１つの磁気分極磁場を含む能動磁場に比例して伝達される。磁場センサの信号は、磁気近接場の影響が補償されるように処理される。
【０００８】
さらに、欧州特許第２７９９８２７号明細書（Ａ１）（特許文献５）には、少なくともいくつかの領域において中空の細長い本体と、本体の内面に作用する磁気弾性作用場とを含む磁気弾性トルクセンサが開示されている。トルクセンサは、いくつかの領域において中空体の内部に配置された複数の磁場センサを含む。
【０００９】
米国特許第６，５５３，８４７号明細書（Ｂ２）（特許文献６）では、シャフトに加えられるトルクの測定値を提供するトルクセンサ、特に非接触磁気弾性トルクセンサが設計されている。
【００１０】
トルクセンサは、トルクに対して露出されたシャフト上の磁気弾性的に活性な領域と、磁場センサとを含む。
磁場センサは、磁気弾性領域の近傍に取り付けられ、センサ装置の磁場の大きさを検出し、磁気弾性領域に対する応答として出力信号を提供するために磁気弾性領域に対して配向されている。
【００１１】
米国特許出願公開第２０１２／００７４９３３号明細書（Ａ１）（特許文献７）には、トルクセンサのフィールドノイズを除去するための方法および装置が開示されている。この目的のために、３組の磁場センサおよび関連するコイルがシャフト上に配置されている。第１の組は、シャフトの中央領域に配置される。第２および第３の組のフィールドセンサは、中央領域のフィールドセンサの右側および左側にそれぞれ配置されている。すべてのコイルは互いに接続され、共同してセンサ信号を放射する。しかしながら、この先行技術によれば、最終結果のみを識別することができる。例えば、トルク、応力などの基本パラメータに関連して区別化された識別のための用例はない。実際に何が起こっているかを決定するための用例もない。
【００１２】
米国特許出願公開第２０１１／０１６２４６４号明細書（特許文献８）から知られている装置は、製品関連磁場に加えて、外部磁場を補償することができる少なくとも２つの磁場センサを含む。この場合、１組のセンサを含み、かつ複数組のセンサを含むセンサ装置が開示されており、１組のセンサは、磁気トラックの領域内または複数の磁気トラックの領域内に局在化され、他の組のセンサは、個々の磁気トラックに個々のコイルを個別に割り当てることなく、近接して局在化されている。
【００１３】
米国特許出願公開第２０１３／０１２５６６９号明細書（Ａ１）（特許文献９）にはまた、少なくとも２つの磁場センサを含む装置が開示され、かつ一対のセンサを含むとともに、３つのセンサからなる１組のセンサを含む測定装置が開示されており、各センサにはコイルと付属のトラックとが割当てられ、さらに、他の対のセンサおよび３つのセンサからなる他の組のセンサを有する対応する拡張の可能性について対処している。
【００１４】
米国特許第８，００１，８４９号明細書（特許文献１０）には、複数のセンサを備えるセンサ装置が開示され、少なくとも1つのセンサが、磁気弾性ゾーンの領域に局在化され、少なくとも1つの別のセンサが、個々のコイルを個々の磁気トラックに個別に割り当てることなしに、近接するか、または離れて配置されている。
【００１５】
これまで、欠陥、磁気干渉効果または他の外部の影響の基礎に基づき、かつ磁化された物体の磁場に作用する磁気的影響を決定することが可能な手段は従来技術からは既知ではない。このような外部の影響は、例えば、環境および周囲の影響（例えば、電源ライン及びレールライン）に起因する可能性がある。それによって外部磁場が生成され、これは前述の製品関連磁場への影響、特に製品関連磁場による磁場強度への影響をもたらす可能性がある。このような付加的な影響パラメータは、磁場センサが、製造公差の結果としての検出における望ましくない補助効果を検出する場合、特に関連性がある。
【００１６】
その欠点および欠陥、ならびに例えば自動車技術および／または航空宇宙技術の産業の標的要件を満たすことができるようにする試みにおいて、この先行技術から出発して、本発明の目的は、検査対象の製品に作用する外部磁場を識別することができる磁場センサを提供することにある。
【００１７】
これらの外部磁場は、漂遊磁場とも呼ばれる。
製品関連磁場に加えて、製品関連ではなく、かつ環境的な影響、例えば、電力ライン、レールラインに由来する可能性がある外的影響に基づく磁場を識別することが可能であることが特に望ましい。目的は、特に、発生する磁場の発生源を区別することができることである。
【００１８】
さらに、本発明の目的は、装置上の外部磁気影響を識別し、これによって生じる異なる信号挙動を検出し、磁化に対する外部影響を決定する可能性を提供する装置を提供することである。
【００１９】
さらに、本発明の目的は、装置に関連する製品がその一部が影響を受けているか（例えば、機能障害を引き起こしているか）どうかを装置によって外部磁気影響を検出することによってさらに識別することである。
【００２０】
これらの目的は、請求項１に記載の装置によって解決される。本発明の有利な実施形態は、従属請求項に記載されている。このような信号の偏差を決定することにより、自動車および／または航空宇宙工学の分野における安全基準を維持することができる。
【００２１】
装置は、磁場効果、例えば、点状の外部磁場を測定することを可能にすべきである。点状磁場は、特に、磁場センサの近傍領域において、特に大きな欠点である。
このような装置が正確に機能し、メンテナンスフリーであることがさらに望ましい。装置は使用が簡単であるべきである。安価で製造が容易であるべきである。
【００２２】
この目的は、請求項１の特徴によって解決される。
【先行技術文献】
【特許文献】
【００２３】
【特許文献１】独国特許出願公開第２７７５２１号明細書（Ａ１）
【特許文献２】独国特許出願公開第１０２００５００２９６６号明細書（Ａ１）
【特許文献３】欧州特許出願公開第２７９３００９号明細書（Ａ１）
【特許文献４】米国特許第８，５７８，７９４号明細書（Ａ１）
【特許文献５】欧州特許第２７９９８２７号明細書（Ａ１）
【特許文献６】米国特許第６，５５３，８４７号明細書（Ｂ２）
【特許文献７】米国特許出願公開第２０１２／００７４９３３号明細書（Ａ１）
【特許文献８】米国特許出願公開第２０１１／０１６２４６４号明細書
【特許文献９】米国特許出願公開第２０１３／０１２５６６９号明細書（Ａ１）
【特許文献１０】米国特許第８，００１，８４９号明細書
【発明の概要】
【００２４】
［本発明の背景］
例えば、トルクがシャフトに作用している場合、これはトルクセンサで検出することができる。特に、自動車、自転車、家電、工作機械技術及び／又は航空宇宙技術においては、トルク関連のセンサだけでなく、トルクセンサを用いて外部磁場を検出することができる産業上の目標的な要求が課せられている。
【００２５】
したがって、産業は、トルク関連の以外の信号または異なる信号挙動を検出することができ、トルクに対しておそらく目的効果に影響を与える可能性のある影響の範囲を定め、そのような目的効果または磁化への他の影響とは独立して発生する磁場の影響をできる限り決定することができる装置を提供することをさらに必要とする。
【００２６】
磁気弾性センサおよび磁場センサという用語は、本発明の説明の枠内で同義語として使用される。
［外部磁場］
製品関連のもの以外の磁場および例えば設定されたトルク関連信号は、磁化された領域上の欠陥、干渉効果、および特にチェックされるべき上流または下流の製品の他の影響によって生じる。例えば、電力ライン、レールラインなどの環境影響から生じる可能性のあるこれらの付加的な影響力のあるパラメータは、外部磁場を発生させることができ、磁場の検出に影響を及ぼし、おそらくトルクによって引き起こされる、製品に関連した準ターゲット効果の直接的な結果として上述したように検出されるべき磁場の検出に影響を与える。これらの外部磁場は、特に、磁場センサが、例えば、製造公差の結果として、それ自体が検出において望ましくない付属の影響を検出する場合に関連があり、検出された結果を評価する際に、これらの結果が、おそらくトルクに対する目標効果を再現する結果だけでなく、そのような外部事象の影響を受けた結果であるのかが明確でない。したがって、目的は、特に、発生する磁場の発生源を区別することができることである。
【００２７】
本発明の意味において、「検出」という用語は、磁化された波の記録及び／又は評価及び／又は結果として生成された信号を伝達することとして理解されるべきである。
結果として、特に、航空工学および自動車工学、自転車技術、家庭用機器、工作機械およびその他の分野の安全基準からの偏差を決定し、これらの安全基準を守ることができる。
【００２８】
非製品関連磁場は、ここでは外部磁気または外部磁場として示される。
これが本発明によりどのように達成されるかについて、装置および関連する磁気弾性基本機能に従った部品の以下の説明の後に説明される。
【００２９】
［磁化体−強磁性部品］
製品関連磁場および外部磁場の両方が、磁化された本体と動作関係にある。
磁化された本体は、細長い本体、例えば円筒形本体、円錐形に先細りする本体、またはシャフトであり得る。
【００３０】
さらに、着磁体は強磁性体であると想定される。
強磁性部品は、少なくとも部分的に強磁性材料を備えている。このような強磁性材料としては、ニッケル（Ｎｉ）またはクロム（Ｃｒ）のフラクションを有する硬化性鋼が適している。しかし、他の強磁性材料も使用できることが理解される。
【００３１】
強磁性部品は、例えば、駆動軸またはピットマンアーム（Ｐｉｔｍａｎ  ａｒｍ）軸として構成することができる。好ましくは、強磁性部品は、航空機、陸上車両または船舶に配置される。強磁性部品は、例えば、工業用機器または家庭用機器に使用することもできる。
【００３２】
強磁性部品は、反対方向の磁化を有する少なくとも３つの磁気トラックを有する少なくとも１つの磁化領域を含む。
強磁性部品によって放出され検出される磁場は、強磁性部品に物質内においていわゆる応力を加えることによって生成される。これは、例えばトルクを伴う動作によって達成することができる。
【００３３】
磁化のタイプと協働して得られる特に磁気弾性効果と関連する磁場は、強磁性部品において生成され、かつ磁場センサによって軸成分が測定される磁気変化として表される。
しかしながら、このような磁場変動は、直接的な製品関連の影響の結果としてだけでなく、外部からの影響、いわゆる干渉影響の結果としても得られる。
【００３４】
［デュアルデュアルバンド磁化（Ｄｕａｌ−ｄｕａｌ−ｂａｎｄ  ｍａｇｎｅｔｉｚａｔｉｏｎ）］
以下、３つの磁気トラックを有する強磁性部品の装置を仮定する。
【００３５】
本発明によれば、４つの磁気コイルの強磁性部品に対して互いに反対方向を向く３つの磁気トラックが軸方向に検出され、４つの磁気コイルのうち２つが１つの（第１および第２の）磁場センサ（デュアルデュアルバンド磁化）に割当てられている。したがって、２つの磁場センサの１つの磁気コイルは、少なくとも１つの磁気トラック、すなわち、通常は互いに反対方向を向く３つの磁気トラックの中心の磁気トラックを検出し、反対方向を向く隣接する磁気トラックは磁化される。
【００３６】
磁場センサまたは磁気コイルは、互いから距離をおいて、強磁性部品に対して半径方向に配置されている。
デュアルデュアルバンドセンサ装置は、例えば、試験される製品の欠陥および欠陥の結果として、実際の状態または可能性のある偏差のより優れた差別化された評価のために使用される。この理由は、少なくとも２つの比較量が、少なくとも２つの磁気トラックの個々の電圧が磁場センサによって検出され、少なくとも２つの磁気トラックの電圧が別の磁場センサによって検出される手段によって得られるからである。
【００３７】
さらに、後述する磁気トラックの空間的に狭い配置の結果として、磁気トラックチャネルの位置間の外部磁場差は可能な限り小さくすることができる。
以下では、第１の外側磁気トラックおよび中央磁気トラックに関連する第１のグループ、ならびに中央磁気トラックおよび第３のしたがって第２の外側磁気トラックに関連する第２のグループについても説明される。
【００３８】
互いに反対方向を向く３つの磁気トラックの配置は、２つのデュアルデュアルバンド磁気トラックの有利な組み合わせを構成する。２つのデュアルバンドトラックの組み合わせは、第２のデュアルバンド配置を軸方向に変位させ、中央トラックを共有することによって達成される。
【００３９】
この結果、１つの磁気トラックを省くことができ、結果としてより均一な測定画像が生成され、かつ軸方向設置スペースがより少なくなるように、磁気トラックの空間的合成を提供することができるという利点が得られる。
【００４０】
３つの円周磁気トラックを有する磁化の場合、左に空間的に配置された磁気トラックは、例えば正に磁化され、中央磁気トラックは負に磁化され、右の磁気トラックは再び正に磁化される。
【００４１】
強磁性部品の応力によって生じる磁気弾性効果の結果として、磁気トラックの反対方向を向く磁化に差が生じる。この差は、磁場変化によって表され、その軸方向成分は、磁場センサによって測定される。応力の発生は、これに関連する先行技術において十分に知られており、したがって以下ではさらに説明しない。
【００４２】
好ましくは各場合において、第１の磁場センサの少なくとも１つのコイルが第１の外側トラックおよび中央磁気トラックに割り当てられて、強磁性部品に対してそれぞれ半径方向に１つの信号が検出される。続いて、簡略化のために、第１の外側磁気トラックに関連する第１の外側磁気トラックについて説明する。
【００４３】
好ましくは各場合において、第２の磁場センサの少なくとも１つのコイルが中央磁気トラック及び第３の磁気トラックに割り当てられて、強磁性部品に対して半径方向に信号が検出される。この第３磁気トラックは、ここで説明される磁化において第２外側磁気トラックとも呼ばれる。
【００４４】
トラック関連の部分信号となり得る第１の外側磁気トラックおよび中央磁気トラックの評価から得られる一組の情報は、互いに関連付けることができる。同様に、トラック関連の部分信号となり得る中央磁気トラック及び第３の磁気トラックの評価から得られる一組の情報は、互いに関連付けることもできる。
【００４５】
これらの２組のトラック関連情報から、第１の磁場センサが信号を評価する。同様に、第２の磁場センサは、２組のトラック関連情報からそのような信号を評価する。
第１の磁場センサによって検出された信号は、第２の磁場センサによって検出された信号と関連することができ、２つの信号は、測定された磁場が部品に加えられる応力によって生成される限り、常に逆の挙動を示す。
【００４６】
［磁場センサとコイルの相互作用］
これに関連して、少なくとも２つの磁場センサと少なくとも２つのコイルとの後述する相互作用およびそれらの空間的配置が、強磁性構成と比較して原則的には製品関連磁場の検出に関して、および上記の外部磁場の検出に関して明らかとなる。
【００４７】
デュアルデュアルバンドセンサ装置では、第１の外側磁気トラックおよび中央磁気トラックには、磁気弾性効果の結果として生成される磁場の軸方向成分を測定するコイルがそれぞれ割り当てられている。
【００４８】
第１の磁気トラックおよび中央磁気トラックには、強磁性部品に対して半径方向に第１の磁場センサの少なくとも１つのコイルがそれぞれ割り当てられる。設定されたように、少なくとも１つのコイルは、強磁性部品から半径方向に離間されている。このことは、中央コイルおよび第２の磁気コイルにそれぞれ割り当てられた少なくとも１つのコイルにも当てはまる。一方で第１磁気トラックおよび中央磁気トラックに割り当てられたコイルと、他方で中央磁気トラックおよび第２の磁気トラックに割り当てられたコイルとは、互いに対して軸方向に互いに距離をおいて配置されている。それらは、強磁性部品から同じ距離で半径方向に配置されなければならない。２つのセンサチャネルを強磁性部品に対して互いに対して角度をなして配置することも可能である。
【００４９】
それにもかかわらず、各磁場センサの第１のコイルは、強磁性部品の表面上の第１の方向の磁気トラックの磁場の変化を検出するように配置される。
各磁場センサの第２のコイルは、強磁性部品の表面上の第２の反対方向の磁気トラックの磁場の変化を検出するように配置される。磁場センサの評価電子装置は信号を出力する。
【００５０】
したがって、３つの磁気トラックの配置において、第１の磁場センサの第２のコイルおよび第２の磁場センサの第１のコイルはそれぞれ、中央磁気トラックを検出する。
このように、磁場センサは、コイルによる少なくとも１つの信号を受信し、これを評価し、場合によっては別個のディスプレイユニットに送信する。
【００５１】
第１磁気トラックおよび中央磁気トラックに関連する、いわゆるデュアルデュアルバンド構成の信号がある場合、この信号が評価され、第１の信号として送信される。第１の信号は、２つの対向する磁気トラック（第１の磁気トラックと中央磁気トラック）から得られた情報の第１の差分評価から得られる。例えば、第１の信号は、ボルトまたはミリボルトで測定された量だけでなく、他の測定された量でもよい。
【００５２】
中央磁気トラックおよび第３の磁気トラックに関連するデュアルデュアルバンド構成における磁場センサのさらなる信号も評価され、第２の信号として送信される。第２の信号はまた、２つの対向する磁気トラックから得られた情報の第１の差分評価から得られる。測定された量は、通常、「ボルト」または「ミリボルト」の単位であるが、他の測定量であってもよい。
【００５３】
一方の群が差の負の偏極を測定し、他方の群が差の正の偏極を測定するという結果として、個々の磁場センサの出力信号は反対方向に向けられる。
外部磁場および干渉効果の検出が引き続き説明される前に、このような検出は、さらなるコイルが、強磁性部品の周囲の側面の異なる位置に配置される磁場センサの場合にも可能であることに留意すべきである。したがって、完全を期すために、この構成的な構造について最初に説明する。
【００５４】
同じ磁場センサのためのこれらのさらなるコイルは、強磁性部品の外周囲の側面の異なる位置に配置され、好ましくは１８０度オフセットされている。この手段によって、センサの測定は、トラックの周囲の側面の様々な位置で行うことができ、結果として、より高い精度を提供する平均値を決定することができる。
【００５５】
その結果、付加的な測定値が得られる。これらの付加的な測定値は、おそらくは回転運動によるものであるか、またはおそらくは製造公差によるものである、磁場センサの前述のコイルからの強磁性部品の特に半径方向の距離による磁場センサへの磁力の影響の減少を補償することができる。
【００５６】
個々のセンサの追加のコイルは、半径方向の平面内の強磁性部品の横方向の動きおよび関連する磁気強度の影響があっても信頼性のある測定が可能であるように、周囲の側面の領域に配置することができる。したがって、それら追加のコイルは、強磁性部品の３６０°の周囲の側面の領域内の任意の位置において周方向に配置することができる。
【００５７】
好ましくは、それぞれ異なる磁場センサの２つのコイルが、それぞれ異なる磁場センサの次の好ましくは２つのコイルに対して９０°だけ互いに離間している場合に、特に有利であることが指摘されるべきである。この結果、４対のコイルの配置が得られ、それぞれのコイルは、周方向に９０°、３６０°の距離で異なるセンサに割り当てられる。
【００５８】
この場合、コイルは、同じもののみならず、当業者の裁量において、特に使用される電子機器を考慮して他の磁場センサに対して使用することもできる。
［磁場センサ］
磁場センサは、非常に小さな磁場を検出するための高感度の測定装置である。
【００５９】
磁場センサは、好ましくは、フラックスゲート（ｆｌｕｘｇａｔｅ）ベースで動作する。フラックスゲートセンサは、非常に小さな磁場を検出するための高感度の測定装置である。
【００６０】
例えば、ホールセンサは、本発明の意味において磁場センサとして使用することもできる。
しかしながら、本発明によれば、任意の適切なタイプの磁場センサを使用することができることに留意されたい。
【００６１】
本発明の範囲内でコイルについての説明がある限り、ここでは、測定コイルとして使用されるアモルファスコアを有するワイヤ巻線が好ましい。したがって、コイルは、応力の印加によって生成される製品関連磁場および干渉効果によって生じる可能性のある外部磁場の両方を検出できるように、強磁性部品に対して軸方向（平行）および半径方向に配置される。しかしながら、それらコイルは、これらの磁場を互いに区別することができるように構成することができる。このことについては、以下で詳細に説明する。
【００６２】
個々の磁場センサのコイルは、装置の別の場所に空間的に配置することができる評価電子回路に接続されている。
［感度の異なるコイル］
電力ラインやレールラインなどの環境影響に起因する影響力のあるパラメータは、外部磁場を生成する。外部磁場は、製品関連磁場と同様に、磁気トラックに割り当てられたセンサに影響を与える。
【００６３】
本発明によれば、強磁性部品に関連する外部漂遊磁場および製品関連磁場を検出する装置であって、
−  既に上述したように、強磁性部品に作用する外部磁場および製品関連磁場を検出することができる少なくとも２つの磁場センサを備え、
−  少なくとも２つのコイルが各磁場センサに割り当てられ、
−  情報を伝送するための１つのチャネルが各コイルに割り当てられ、
−  コイルは磁場を検出するように適合され、かつ意図されており、
−  コイルはさらに好適には磁場の異なる強度を検出するように適合され、かつ意図されており、
−  磁場センサの他のコイルと比較して、外部磁場または製品関連磁場のより低い強度を検出することができる磁場センサのコイルは、外部磁場または製品関連磁場のより高い強度を検出することができる他のコイルの感度とは異なる感度を有することができる。
【００６４】
外部磁場の強度がより高い領域に配置された磁場センサのこれらのコイルは、より高い感度を有する。これは、２つの磁場センサから入来する信号に関連して磁場の影響による信号の調整された増幅をもたらす。
【００６５】
より感度の高いコイルは、他のコイルに比べて強磁性部品の空間的な端部に最も近くに配置される。このことは、磁場センサの軸方向配置の互いの空間的関係においても同様に当てはまる。
【００６６】
磁場センサの各チャネルを形成するために、少なくとも２つのコイルがそれぞれ設けられている。磁場センサの各チャネルにおいて、チャネルの他のコイルよりも外部磁場の影響を大きく受けるコイルは、チャネルの他のコイルよりも高い感度を有する。磁場センサの第２のチャネルについても同様に当てはまる。従って、外部磁場は、原理的には、両方の磁場センサのそれぞれに対して調整された影響を及ぼす。
【００６７】
外部磁場の強さに対して磁場センサの他のコイルと比較して感度が低い磁場センサのコイルは、外部磁場の強さに対してより感度が高い磁場センサのコイルよりも強磁性部品の端部から空間的に遠くに配置される。この理由は、予測通りに、遠くの位置でのより小さな外部影響が予想されるからである。
【００６８】
外部磁場の磁場強度は、強磁性部品の空間的な端部の領域において、そこから遠い距離に位置する強磁性部品の領域よりも大きい。
磁場センサは、外部磁場の集中が増大している領域において、強磁性部品に対して軸方向に配置されている。
【００６９】
したがって、外部磁場の発生源との空間的近接度がより小さくなる結果、大部分が磁場の影響にさらされる磁場センサのコイルは、他のコイルに対してより高い感度を有する。
強磁性部品に対して軸方向に配置された磁場センサおよびそれに応じて強磁性部品に対して軸方向に配置されたコイルにおいて、磁場センサのコイルにおける外部磁場の増大した影響は、例えば、磁場センサの１つのコイルが、より大きな距離で軸方向に配置された同じ磁場センサの他のコイルよりも外部磁場の発生源に空間的により近く配置されるという事実に基づく。
【００７０】
磁場センサのコイルによって測定された磁場は、評価ユニットおよび／または表示ユニットに伝達される。
［磁場センサの空間配置］
磁場センサは、強磁性部品の磁気平衡によって形成された空間の好適には外側で利用可能な空間関係に従って配置される。この場合、距離は空間関係によってのみ決定される。
【００７１】
磁場センサは、例えば、空間的に少し離れて、例えば、強磁性部品、特にシャフトの空間的な端部から軸方向に離間して配置することができる。強磁性部品の空間的な端部は、実際には、外部磁場に対してアンテナチップとして作用する。
【００７２】
磁場センサは、好ましくは、最初に、応力によって生成される磁場の磁束密度および磁場強度を検出または測定し、好ましくは信号処理および／または表示のために電子装置に評価され得る形態で結果を伝達する。
【００７３】
磁化された本体または強磁性部品に対する磁場センサの軸方向配置では、さらに、２つの磁場センサのそれぞれが、外部磁場の異なる強度の磁場にさらされる。
２つの磁場センサが磁化された本体または強磁性部品に対して軸方向に配置される場合、より高い磁束密度を有する磁場に最も近い磁場センサがより強い磁場にさらされる。これは、しばしば、強磁性部品の部品端部により近い磁場センサである。
【００７４】
［製品関連磁場と外部漂遊磁場の影響の検出］
外部の漂遊磁場は、磁場の局所的な集中による磁場勾配の形成をもたらす。
外部の漂遊磁場の影響を検出し、それにより、構成部品の幾何学的形状に起因する磁場勾配の影響を検出するために、かつ異なる感度を達成する目的で、本発明は２つの個別チャネルを有する。
【００７５】
コイルを有する個々のチャネルは、信号伝送が行われる媒体と、送信機から受信機への伝送経路全体とを含む。
２つの磁場センサに対する外部磁場の効果は、そのコイルの感度に依存する。ここでは、コイルの巻き数の変化によって個々のコイルの感度を制御することが可能である。
【００７６】
各磁場センサの少なくとも２つのコイルが、力の作用の結果として生成される磁場の影響を検出することができるのと同様に、外部の漂遊磁場も検出することができる。
この目的のために、各チャネルに割り当てられた磁場センサのコイルは、応力の適用、例えばトルクの適用の結果として強磁性部品の表面上に形成される磁場を好ましくは最初に検出する。
【００７７】
応力および応力に基づく磁場は直線的に振る舞う。これは、大きさが変動する力の影響を視野に入れて適用している。
強磁性部品へのトルクの適用は、一方のコイルに関して反対方向に磁化された磁気トラックの結果としての磁場の増加と、他方のコイルにおける磁場の減少とをもたらす。適用されたトルクの程度は、磁場の結果的に生じる勾配の結果として導き出すことができる。
【００７８】
強磁性部品がさらに外部磁場にさらされると、これは両方のコイル（すなわち、トルクの適用時に磁場応力の減少が生じるコイル）の磁場における対応する増加が生じる。
一つのコイルの許容誤差の可能性がある場合には、外部磁場が発生すると、反対方向の外部磁場を検出したときに磁場の増加を示すチャネルが、再び減少を示し、したがって、製品に関連するトルクの増加のみが強磁性部品に作用したことを示唆していると思われる状況が生じる可能性がある。製造公差の結果として生じるこの結果を回避するために、センサは、既に説明したように、強磁性部品の端部により近く配置された磁場センサのコイルがより高い感度を有するように配置される。
【００７９】
コイルが、一方では強磁性部品の端部の近くに配置され、他方では他方のコイルよりも高い感度を有していない場合には、外部磁場によって生じる信号は検出の過程で間違った方向に向う。従って、本発明の本質的な態様は、強磁性部品の領域に配置された少なくとも１つのコイルを有して、外部磁場が生じた場合に、少なくとも１つのコイルが他のコイルと比較してこの磁場に最も近接するようにする装置を構成することにより得られる。
【００８０】
この装置は、説明したように、通常、強磁性部品に対して偏心的に配置されている。なぜなら、この位置は、記録される外部磁場に空間的に近いからである。外部磁場に最も近接して配置される両方のチャネルのコイルは、より高い感度を有する。この手段により、外部磁場の効果が増幅され、磁場センサの許容誤差にもかかわらず、磁場センサの全体の両方のチャネルが外部磁場に正しく反応することが保証される。これにより、外部磁気コイルの影響を確実に検出することができる。
【００８１】
その結果、信号が意図的に増幅される。漂遊磁場により近く配置されたコイルは、より大きな磁場を測定する。
より高い感度を有するセンサの選択またはより高い感度へのセンサの調整は、当業者によって容易に行うことができ、デバイスの予想される使用条件、強磁性部品の材料等に実質的に依存して行われる。
【００８２】
一例として、前述のことは、本発明がそのような例示的な実施形態にほぼ制限されることなく、架空の値によって説明される。
磁場センサの１つのチャネル（２つのコイル）は、シャフトのニュートラル状態では２．５Ｖの電圧値を記録し、他のチャネルは２．５Ｖも記録すると仮定する。シャフトにトルクが加えられると、第１のチャネルの電圧値は、この例では３．０Ｖに増加するが、第２のチャネルの電圧値は、反対に磁化された磁気トラックが割り当てられた結果として２．０Ｖに低減される。このようにして生成された勾配の結果として、シャフトに対するトルクの作用が行われたことが当業者には明らかとなる。
【００８３】
トルクの作用後に、このシャフトが外部磁場の領域に追加的に入る場合、この例の場合、両方のチャネルの電圧値が０．２Ｖだけ増加して、第１のチャネルでは３．２Ｖとなり、第２のチャネルでは２．２Ｖとなる。結果的に生じる勾配の結果として、当業者は、磁場が外部の影響によって変化したことを識別する。この結果は、製造公差の影響を受けない磁場センサを正確に動作させることによって得られるであろう。
【００８４】
製造公差の影響を受ける磁場センサの場合、最後に記載した例は、第２のチャネルが電圧値の増加を記録しないという結果となり、電圧の（さらなる）減少、すなわち可能性のある２．０Ｖ（トルクの作用後の）から例えば１．８Ｖへの減少を表示する。この第２のチャネルが割り当てられた（記載された）反対方向に磁化された磁気トラックの結果として、当業者は、シャフト上のトルクの（増幅された、または付加的な）作用が生じたとの誤った見方をもつこととなる。
【００８５】
この誤りのある効果は、強磁性部品の端部に近接して配置されたコイル（磁場集中／アンテナ効果）によって除去され、実用的な適用の場合に、コイルが漂遊磁場に空間的に最も近に位置し、より高い感度を有し、外部漂遊磁場によって引き起こされる誤差信号の目標とされた増幅をもたらす。
【００８６】
本発明は、製品関連磁場が存在しないが、外部磁場のみが決定できる場合にも機能する。しかしながら、この場合、両方のセンサに作用する信号は、差動ではなく平行に変化する。
【００８７】
外部磁場が生じる、信号のパラレルシフトが発生する。製品関連磁場の場合、信号の反対の動きが検出される。
外部磁場が１つだけ存在する場合、本発明は原理的には上記のように正確に機能する。
【００８８】
本発明のさらなる態様および特徴は、図１〜図３による本発明の好ましい実施形態の以下の説明から得られる。
【図面の簡単な説明】
【００８９】
【図１】強磁性部品、特にシャフトを取り囲む３つの磁気トラックを有するシャフトを概略的に示す。
【図２】強磁性部品の断面、特にシャフトの個々の上側及び下側に配置された磁場センサを有するシャフトを示す。
【図３】軸方向に配置された磁場センサを有するピットマンアームシャフトの形態における強磁性体を示す。
【図４】図１に従う図を示す。
【発明を実施するための形態】
【００９０】
図１は、磁化領域３３を有する強磁性部品３２を示している。磁化領域３３は、３つの磁気トラック３４，３５，３６を含む。隣接する磁気トラック３４，３５，３６はそれぞれ反対の周方向磁化３９，４０を有する。磁気トラック３４および磁気トラック３６は、周方向磁化４０を有する。共通磁気トラック３５は、４０とは反対の磁化３９を有する。
【００９１】
磁化領域３３は、２つのグループ３７，３８に分割されている。
磁気トラック３４および３５は、磁化領域３３の第１グループ３７に割り当てられている。
【００９２】
磁気トラック３５および３６は、磁化領域３３の第２グループ３８に割り当てられている。磁気トラック３４，３５および３６の両方のグループ３７および３８は、磁気トラック３５を共通に有する。
【００９３】
第１の磁場センサ４１は、磁気トラック３４，３５に割り当てられている。第１の磁場センサ４１は、コイル４２，４３を備え、強磁性部品３２の半径方向の移動を検出することが可能でなければならない場合には、任意にコイル４４，４５を備える。これにより、距離の変化に対する補償が達成される。言い換えれば、強磁性部品３２の表面に対するコイルの距離の全体は一定に保たれる。
【００９４】
第２のグループ３８の第２の磁場センサ４６は、少なくともコイル４７，４８を備え、任意選択的に、コイル４９，５０は半径方向の動きを補償し、回転に依存する誤差を改善する働きをするために必要である。
【００９５】
磁場センサ４１，４６は、好ましくはシャフトである強磁性部品３２がコイル４２または４４，４３または４５，４７または４９および４８または５０の間に延在するように配置される。
【００９６】
コイル４２，４３，４７，４８とコイル４４，４５，４９，５０との間の強磁性部品３２の配置は、コイル４２，４３，４７，４８から離れてコイル４２，４３，４７，４８と４４，４５，４９，５０との間で強磁性部品３２が半径方向運動５１の間で移動できるようにし、同時にコイル４４，４５，４９，５０に対してその逆に同様のアプローチが行われる。
【００９７】
強磁性部品３２の半径方向運動５１にかかわらず、磁気トラック３４，３５，３６は、コイル４２，４３，４７，４８またはコイル４４，４５，４９，５０のいずれかの作用領域内に常に維持される。磁場センサ４１または４６の機能性は、コイル４２，４３，４７，４８および４４，４５、４９，５０内の強磁性部品３２の半径方向運動５１とは独立して維持されている。
【００９８】
磁気トラック３５が第１の磁気トラック群３７と第２の磁気トラック群３８とに共同で割り当てられているので、第１の磁場センサ４１の２つのコイル４３と４５と磁場センサ４６の２つのコイル４７と４９は磁気トラック３５に割り当てられている。
【００９９】
図２において、一方のコイル４３，４７と他方のコイル４５，４９は、互いに上下にあり、垂直に示されている。これらの中心コイルは、必要な設置スペースに応じて回転するように配置されている点を除いて、軸方向の同じ位置に正確に配置されている。強磁性部品１、特にシャフト表面までの距離は同一である。
【０１００】
図１において、磁場センサ４６は、冗長磁場センサの機能を担う。
図２は、上部に配置されたコイル４２および４３を有する磁場センサ４１と、上部に配置されたコイル４７および４８を有する第２の磁場センサ４６とともに強磁性部品３２の断面図を示す。
【０１０１】
追加のコイル４９および５０を有する第２の磁場センサ４６は、強磁性部品３２に対してその下側にオフセットして配置することができる。コイル４４および４５を備えた第１の磁場センサ４１もまた、強磁性部品３２の下側に対向して示されている。これらは、シャフトの半径方向の動きが予想される場合の任意選択である。
【０１０２】
図２は、第１の磁場センサ４１のコイル４２，４３が、強磁性部品３２の下側の第１の磁場センサ４１のコイル４４，４５と対角線上に対向して強磁性部品３２の上側に配置される磁場センサの構造オフセットを示す。
【０１０３】
同様に、強磁性部品３２の上側では、第２の磁場センサ４６のコイル４７，４８は、強磁性部品１の下側の第２の磁場センサ１５のコイル４９，５０に対して１８０°で対角線上に配置されている。
【０１０４】
図３において、強磁性部品１は、回転軸４を中心に回転可能である。強磁性部品１の前端５の領域には、磁化された金属体（図示せず）が配置されている。
外部漂遊磁場（発生源は図示せず）は、磁場線１１，８，１３，２１，１２によって磁場を放出する。
【０１０５】
強磁性部品１は磁場アンテナ１０として機能し、磁場線（図示せず）は、領域１４のその前端５に集中する。
磁場アンテナ１０は、磁場線１１，８，１３，１５を受け取り、同時に外部磁場の磁場線１２を解放する。
【０１０６】
したがって、強磁性部品１は、強磁性部品の少なくとも一端に少なくとも１つの磁場勾配を有する磁場１３を含む。
即ち、一端に勾配がある場合、他端にも勾配がある。
【０１０７】
２つの磁場センサ１７，１８は、強磁性部品１（強磁性部品）に対して軸方向に配置されている。磁場センサ１８は、外部磁場源（図示せず）へのより大きな近接の結果として、磁場センサ１７よりも強い外部磁場にさらされる。
【０１０８】
これは、強磁性部品１が磁場アンテナ１０として作用し、強磁性部品１の磁場が、磁場線８，１１の交差の結果として領域２４内で圧縮されるという事実に基づいている。
参照番号２１は、強磁性部品１に作用する小さな勾配を有する磁場領域を示す。
【０１０９】
強磁性部品１の領域において増幅された磁場２４からの磁場センサ１７のより大きな空間距離の結果として、磁場センサ１７は増幅された磁場２４にさらされることは少ない。
磁場センサ１７，１８によって検出された信号は、評価ユニットおよび／または表示ユニット（図示せず）に伝達される。
【０１１０】
図３では、強磁性部品１がピットマンアームシャフト１９として示されている。
強磁性部品１は、前端５および前端５とは反対側の後端２５を有する。
強磁性部品１は磁場２１を含む。磁場２１の前端２３は磁場集中領域２２として構成される。
【０１１１】
外部から発せられた磁場線１１，２１は、磁場アンテナとして動作する強磁性部品１に導かれる。
これにより、強磁性部品１の前端２３および後端２５に集中磁場２４が生じる。
【０１１２】
強磁性部品１の磁場領域２４は、ピットマンアームシャフト１９の残りの磁場２１と比較して、磁場線１１によってより高く集中される。
強磁性部品１の磁場は、領域２４においては、残りの領域２１よりも密度が高いため、図２では、ピットマンアームシャフト１９において端部から中心に向かって磁場勾配が存在する。
【０１１３】
磁場センサ１７，１８は、図３および図４の両方における磁気平衡の外側に配置されている。
図３において、ピットマンアームシャフト１９のより高度に集中した磁場２４への磁場センサの配置の近接の結果として、磁場センサ１８は、磁場センサ１７よりも強い磁場にさらされる。
【０１１４】
図４は、その前端５および反対側の後端部２５を有するピットマンアームシャフト１９を示す。図３と比較して、図４においては、ピットマンアームシャフト１９も強磁性部品１である。ピットマンアームシャフト１９は磁場２１を含み、ピットマンアームシャフト１９の前端２３は磁場集中領域２２として示されている。
【０１１５】
外部磁場から放出される磁場線１１および２１は、図３における磁場アンテナ１０として構成されたピットマンアームシャフト１９に導かれる。
磁場線１１，２１がピットマンアームシャフト１９に移行する結果、ピットマンアームシャフト１９の両端２３，２５に集中磁場２４，２５が形成される。
【０１１６】
磁場線１１は、ピットマンアームシャフト１９の磁場領域２４を、ピットマンアームシャフト１９の残りの磁場２１に対して増幅する。
ピットマンアームシャフト１９の磁場２４の密度が、ピットマンアームシャフト１９の残りの磁場線２１と比較して高密度になる結果、図４のピットマンアームシャフト１９の端部から中心に向かってピットマンアームシャフト１９に磁場勾配が形成される。
【０１１７】
図４によれば、図５における磁場センサ４１，４６は、磁気平衡の外側に位置する。
ピットマンアームシャフト１９のより高度に集中した磁場２４に装置が近接する結果、磁場センサ４６は磁場センサ４１よりも強い磁場にさらされる。
【０１１８】
図４には、２つの磁場センサ４１および４６が示されている。
図４において、磁場センサ４１，４６の各々は２つのコイルを有する。強磁性部品１から半径方向に離れて配置された各センサを形成するために２つのコイルが設けられている。
【０１１９】
磁場センサ４１は、図４における構造に関してコイル２７，２８を備える、図４の磁場センサ４６は、図４における構造に関してコイル２７’および２８’を備える。
図４において、デュアルデュアルバンド磁化の３つの磁気トラック１００，１１０，１２０が強磁性部品１上に示されている。磁気トラック１００，１１０，１２０のそれぞれには、磁場センサ４１，４６のコイルの２７，２８，２７’，２８’が割当てられている。磁場センサのコイル２７，２８，２７’，２８’は、強磁性部品１の表面上の磁気トラック１００，１１０，１２０の変化を検出するように配置されている。
【０１２０】
磁場センサ４６のコイル２８は、ピットマンアームシャフト１９に関して磁場センサ４１のコイル２７’と同じ高さに軸方向に存在し、磁場センサのコイル２７’によって占有されている位置だけオフセットされている。磁場センサ４６の第２のコイル２８’は、磁化１２０と同じ高さでピットマンアームシャフト１９に対して軸方向に存在する。
【０１２１】
図４において、強磁性部品１の高圧縮磁場線の領域２４に対する距離が大きいため、磁場センサ４１のコイル２７および磁場センサ４６のコイル２７’は、ピットマンアームシャフト１９の集中磁場線２４の前方領域に地理的により近く位置する磁場センサ４１のコイル２８および磁場センサ４６のコイル２８’よりも低い感度を有する。
【符号の説明】
【０１２２】
１…強磁性部品
２…割り当てなし
３…割り当てなし
４…回転軸
５…強磁性部品の前端
６…割り当てなし
７…着磁体の一例としての駆動ディスク
８…外部漂遊磁場の磁場線
９…割り当てなし
１０…強磁性部品１の構成における磁場アンテナ
１１…外部漂遊磁場の磁場線
１２…磁場線（流出）
１３…磁場線（流入）
１４…高圧縮磁場線領域（概略図）
１５…高圧縮されていない（依然として勾配のある）磁場線の領域（概略図）
１６…割り当てなし
１７…磁場センサ
１８…磁場センサ
１９…磁化体の例としてのピットマンアームシャフト
２０…割り当てなし
２１…磁場線（流入）
２２…磁場集中領域
２３…強磁性部品の先端
２４…集中磁場の前方領域
２５…集中磁場の後方領域
２６…チャネル
２７…コイル
２８…コイル
２９…チャネル
３０…チャネル
３１…チャネル
２７’…コイル
２８’…コイル
３２…強磁性部品
３３…磁化領域
３４…磁気トラック
３５…共通磁気トラック
３６…磁気トラック
３７…グループ
３８…グループ
３９…磁化
４０…磁化
４１…最初のセンサ、最初のグループ
４２…コイル
４３…コイル
４４…コイル
４５…コイル
４６…最初のセンサ、第２グループ
４７…コイル
４８…コイル
４９…コイル
５０…コイル
５１…半径方向運動
５２…割り当てなし
５３…割り当てなし
６３…コイル
１００…磁気トラック
１１０…磁気トラック
１２０…磁気トラック
【図１】
0006746487.tif 000002
【図２】
0006746487.tif 000003
【図３】
0006746487.tif 000004
【図４】
0006746487.tif 000005